(57)【要約】【課題】表示対象の画像の質感を向上することができる表示装置を提供する。【解決手段】表示装置１０は、光源２１を含む表示デバイス２０と、第一主面３１ａを有する導光層３１、及び、表示デバイス２０及び第一主面３１ａの間に配置され光を透過する第一下地層３２を含む導光体３０とを備える。第一下地層３２は、光源２１が発する光の方向及び強度の少なくとも一方を変化させる光学パターンを有する。【選択図】図３
2020038259.tif 000002
【特許請求の範囲】
【請求項１】
光源を含む表示デバイスと、
第一主面を有する導光層、及び、前記表示デバイス及び前記第一主面の間に配置され光を透過する第一下地層を含む導光体とを備え、
前記第一下地層は、前記光源が発する光の方向及び強度の少なくとも一方を変化させる光学パターンを有する
表示装置。
【請求項２】
前記光学パターンは、前記表示デバイスに表示される画像の少なくとも一部と相関関係を有する
請求項１に記載の表示装置。
【請求項３】
さらに、前記光学パターン上に配置された、図柄を構成する図柄層を備え、
前記光学パターンは、前記図柄の少なくとも一部と相関関係を有する
請求項１に記載の表示装置。
【請求項４】
前記光学パターンは、凹凸構造である
請求項１〜３のいずれか１項に記載の表示装置。
【請求項５】
前記光学パターンは、複数のレンズによって構成される
請求項１〜３のいずれか１項に記載の表示装置。
【請求項６】
前記表示デバイスは、前記光源、及び、光透過型表示パネルを含む
請求項１〜５のいずれか１項に記載の表示装置。
【請求項７】
前記導光層は、端面を有し、
前記光源は、前記端面に対向配置される
請求項６に記載の表示装置。
【請求項８】
さらに、前記端面と前記端面に対向配置された前記光源との間にコリメートレンズを備える
請求項７に記載の表示装置。
【請求項９】
前記導光層は、前記第一主面と背向する第二主面を有し、
前記光源は、前記第二主面に対向配置される
請求項６に記載の表示装置。
【請求項１０】
前記表示デバイスは、前記光源を含む自発光型表示パネルである
請求項１〜５のいずれか１項に記載の表示装置。
【請求項１１】
さらに、前記導光層及び前記第一下地層の間、及び、前記第一下地層及び前記表示デバイスの間の少なくとも一方に、ＯＣＲ（Ｏｐｔｉｃａｌｌｙ  Ｃｌｅａｒ  Ｒｅｓｉｎ）層またはＯＣＡ（Ｏｐｔｉｃａｌｌｙ  Ｃｌｅａｒ  Ａｄｈｅｓｉｖｅ）層を備える
請求項１〜１０のいずれか１項に記載の表示装置。
【請求項１２】
前記導光層は、前記第一主面と背向する第二主面を有し、
前記表示装置は、さらに、前記導光層の前記第二主面側に配置される第二下地層を備える
請求項１〜１１のいずれか１項に記載の表示装置。
【請求項１３】
前記第二下地層は、白色遮光層、黒色遮光層、光反射層、及び、光散乱層のいずれかである
請求項１２に記載の表示装置。
【請求項１４】
請求項１〜１３のいずれか１項に記載の表示装置を用いた画像の表示方法であって、
前記光源を発光させることより前記表示デバイスに画像を表示する
表示方法。
【発明の詳細な説明】
【技術分野】
【０００１】
本発明は、画像を表示する表示装置、及び、表示方法に関する。
【背景技術】
【０００２】
近年、ＬＥＤを用いた表示装置が急速に普及している。このような表示装置の一例として、特許文献１には、部分的に異なる色での照光表示ができるとともに、全体を一色（同色）でも照光表示することができる照光表示装置が開示されている。
【先行技術文献】
【特許文献】
【０００３】
【特許文献１】実用新案登録第３１８２１０９号公報
【発明の概要】
【発明が解決しようとする課題】
【０００４】
本発明は、表示対象の画像の質感を向上することができる表示装置、及び、表示方法を提供する。
【課題を解決するための手段】
【０００５】
本発明の一態様に係る表示装置は、光源を含む表示デバイスと、第一主面を有する導光層、及び、前記表示デバイス及び前記第一主面の間に配置され光を透過する第一下地層を含む導光体とを備え、前記第一下地層は、前記光源が発する光の方向及び強度の少なくとも一方を変化させる光学パターンを有する。
【０００６】
本発明の一態様に係る表示方法は、前記表示装置を用いた画像の表示方法であって、前記光源を発光させることより前記表示デバイスに画像を表示する。
【発明の効果】
【０００７】
本発明の一態様に係る表示装置及び表示方法は、表示対象の画像の質感を向上することができる。
【図面の簡単な説明】
【０００８】
【図１】図１は、実施の形態に係る表示装置の外観斜視図である。
【図２】図２は、実施の形態に係る表示装置の外観斜視図である。
【図３】図３は、実施の形態に係る表示装置の模式断面図である。
【図４】図４は、変形例１に係る表示装置の模式断面図である。
【図５】図５は、変形例２に係る表示装置の模式断面図である。
【図６】図６は、変形例３に係る表示装置の模式断面図である。
【図７】図７は、変形例４に係る表示装置の模式断面図である。
【図８】図８は、変形例４に係る表示装置の表示態様の一例を示す図である。
【図９】図９は、変形例４に係る表示装置の表示態様の別の一例を示す図である。
【図１０】図１０は、変形例５に係る表示装置の模式断面図である。
【図１１】図１１は、液晶シャッターとレンズアレイとが組み合わされた光学パターンの模式断面図である。
【図１２】図１２は、レンズアレイを構成するレンズの平面視における配置の一例を示す図である。
【図１３】図１３は、変形例８に係る表示装置の模式断面図である。
【図１４】図１４は、実施の形態に係る表示装置を用いた画像の表示方法のフローチャートである。
【発明を実施するための形態】
【０００９】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」という表現がある場合、この表現には、製造誤差または寸法公差等を含むという意味もある。
【００１１】
また、以下の実施の形態で説明に用いられる図面においては座標軸が示される場合がある。Ｚ軸方向は、導光層の厚み方向として説明される。Ｘ軸方向及びＹ軸方向は、Ｚ軸方向に垂直な平面上において、互いに直交する方向である。
【００１２】
（実施の形態）
［実施の形態に係る表示装置の基本構成］
まず、実施の形態に係る表示装置の基本構成について、図１〜図３を用いて説明する。図１及び図２は、実施の形態に係る表示装置の外観斜視図である。図１は、光源が発光していないときの表示装置の外観斜視図であり、図２は、光源が発光しているときの表示装置の外観斜視図である。図３は、実施の形態に係る表示装置の模式断面図である。
【００１３】
図１〜図３に示される、実施の形態に係る表示装置１０は、例えば、サインまたは看板等に用いられる表示装置である。表示装置１０は、光源２１及び光透過型表示パネル２２を含む表示デバイス２０と、導光層３１及び第一下地層３２を含む導光体３０とを備える。第一下地層３２は、導光層３１の第一主面３１ａに配置され、凹凸構造４０を有する。表示デバイス２０の光透過型表示パネル２２は、導光層３１の第一主面３１ａ側に配置されている。
【００１４】
ここで、凹凸構造４０は、光透過型表示パネル２２に表示される画像に対応したものである。図１に示されるように光源２１が発光していないときには、画像は比較的平坦なものとして視認される。これに対し、図２に示されるように、光源２１が発光しているときには、凹凸構造４０により、画像は光源２１が発光していないときよりも立体的に視認される。つまり、光源２１が発光しているときに光透過型表示パネル２２を見ると、凹凸構造４０により画像がより立体的に見える。
【００１５】
このように、表示装置１０は、光透過型表示パネル２２に表示される画像に立体的な質感を与えることができる。つまり、表示装置１０は、光透過型表示パネル２２に表示される画像の質感を向上することができる。以下、このような表示装置１０の各構成要素について説明する。
【００１６】
表示デバイス２０の光源２１は、導光層３１の端面３１ｃに対向配置され、導光層３１の端面３１ｃに向けて光を発する。光源２１は、例えば、長尺状の基板に、ＳＭＤ（Ｓｕｒｆａｃｅ  Ｍｏｕｎｔ  Ｄｅｖｉｃｅ）型のＬＥＤ素子が複数実装されたＳＭＤ型の発光モジュールであり、白色光を発する。なお、光源２１の具体的構成、及び、発光色は、特に限定されない。
【００１７】
表示デバイス２０の光透過型表示パネル２２は、画像データに基づいて画像を表示することができる表示パネルであり、具体的には、液晶パネルである。液晶パネルには、カラーフィルタ、及び、偏光板等が含まれる。
【００１８】
導光体３０の導光層３１は、透光性を有する板材である。導光層３１は、具体的には、透明の導光板である。導光層３１は、例えば、平板状である。導光層３１は、例えば、アクリル樹脂によって形成されるが、その他の透光性を有する樹脂、または、ガラス等の無機物によって形成されてもよい。導光層３１は、第一主面３１ａ、第二主面３１ｂ、及び、端面３１ｃを有する。
【００１９】
端面３１ｃは、光源２１が発する光が入射する入射面である。端面３１ｃは、例えば、平面であるが、曲面であってもよい。また、端面３１ｃは、表面加工されていてもよい。
【００２０】
第二主面３１ｂは、第一主面３１ａと背向する面である。第二主面３１ｂは、例えば、平面である。第一主面３１ａは、第二主面３１ｂと背向する面である。第一主面３１ａは、例えば、凹凸面である。第一主面３１ａには、導光体３０の第一下地層３２が配置される。
【００２１】
導光体３０の第一下地層３２は、第一主面３１ａ上に形成された、透光性を有する層である。第一下地層３２は、光透過型表示パネル２２と対向する。第一下地層３２は、光を屈折もしくは透過散乱させるための層であり、例えば、導光層３１を形成する材料と屈折率が異なる材料によって形成される。第一下地層３２は、シリカやチタニアなどの光拡散材を含む光拡散層であってもよい。第一下地層３２は、凹凸構造４０を有する。
【００２２】
凹凸構造４０は、光源２１が発光しているときに光透過型表示パネル２２に表示される画像に立体的な質感を与えるための構造である。凹凸構造４０は、光学パターンの一例であり、光源２１が発する光の方向及び強度の少なくとも一方を変化させる。凹凸構造４０は、光透過型表示パネル２２に表示される画像に対応して凸凹している。言い換えれば、光透過型表示パネル２２に表示される画像の少なくとも一部と相関関係を有している。
【００２３】
ここで、「相関関係を有している」とは、例えば、光透過型表示パネル２２に表示される画像の輝度勾配（あるいは、画像の空間周波数）と、凹凸構造４０の凹凸の高さ（つまり、導光層３１の厚み）とが、関数（例えば、比例関数、反比例関数、対数関数など）によって定まる関係を有していることを意味する。また、凹凸構造は、画像の少なくとも一部と相関関係を有していればよい。例えば、光透過型表示パネル２２に表示される画像に含まれる物体の輪郭と凹凸構造４０の輪郭とが相関関係を有していてもよい。また、凹凸構造４０の凹凸の高さと画像の画像データの緑色成分の信号レベルとが相関関係を有していてもよい。
【００２４】
液晶ディスプレイのバックライトなどとして用いられる導光体の凹凸構造と異なり、凹凸構造４０は、導光層３１内の輝度の均一化を目的とするものではなく、導光層３１内の輝度を光透過型表示パネル２２に表示される画像に応じて異ならせることを目的とするものである。凹凸構造４０によれば、光透過型表示パネル２２に表示される画像に奥行感を与えることができる。
【００２５】
なお、表示装置１０においては、凹凸構造４０は、第一主面３１ａの凹凸に沿って第一下地層３２が形成されることで実現されているが、平坦な第一主面３１ａに凹凸を有する第一下地層３２が形成されることで実現されてもよい。
【００２６】
以上説明したように、表示装置１０は、光透過型表示パネル２２に表示される画像に立体的な質感を与えることができる。つまり、表示装置１０は、光透過型表示パネル２２に表示される画像の質感を向上することができる。
【００２７】
［変形例１：光源の配置］
表示装置１０において、光源２１は、第二主面３１ｂと対向配置されてもよい。図４は、このような変形例１に係る表示装置の模式断面図である。
【００２８】
図４に示される表示装置１１０は、光源１２１及び光透過型表示パネル２２を含む表示デバイス１２０を備える。
【００２９】
光源１２１は、導光層３１の第二主面３１ｂと対向配置され、第二主面３１ｂに向けて光を発する。光源１２１は、例えば、光透過型表示パネル２２と同程度の大きさの矩形状の基板に、ＳＭＤ型のＬＥＤ素子が複数実装されたＳＭＤ型の発光モジュールであり、白色光を発する。なお、光源１２１の具体的構成、及び、発光色は、特に限定されない。
【００３０】
［変形例２：自発光型表示パネル］
表示装置１０において、表示デバイス２０は、自発光型表示パネルであってもよい。図５は、このような変形例２に係る表示装置の模式断面図である。
【００３１】
図５に示されるように表示装置２１０が備える表示デバイス２２０は、光源２２１を含む自発光型表示パネルである。表示デバイス２２０は、画像データに基づいて画像を表示することができる表示パネルであり、具体的には、有機ＥＬ（Ｅｌｅｃｔｒｏ  Ｌｕｍｉｎｅｓｃｅｎｃｅ）パネルである。
【００３２】
なお、表示デバイス２２０が自発光型表示パネルである場合、表示デバイス２２０と別体の光源は必須ではない。しかしながら、表示デバイス２２０から発せられる光だけで十分な立体感が得られないような場合には、表示装置２１０は、補助光源５１及び補助光源５２の少なくとも一方を備えてもよい。補助光源５１は、光源２１と同様の構成であり、補助光源５２は、光源１２１と同様の構成である。
【００３３】
［変形例３：光学パターン］
表示装置１０の第一下地層３２は、凹凸構造４０以外の光学パターンを有してもよい。図６は、このようなこのような変形例３に係る表示装置の模式断面図である。
【００３４】
図６に示される表示装置３１０が備える第一下地層３２は、レンズアレイ３４０を有する。レンズアレイ３４０は、光学パターンの一例であり、第一主面３１ａ及び第一下地層３２の間に位置する。レンズアレイ３４０は、例えば、マトリクス状（言い換えれば、格子状）に設けられた複数のレンズによって構成される。レンズアレイ３４０は、導光層３１と別体であってもよいし、導光層３１と一体的に形成されてもよい。
【００３５】
レンズアレイ３４０を構成するレンズは、例えば、光透過型表示パネル２２の画素と１対１で対応する。複数のレンズの各平面視形状は同一であるが、各レンズの光学特性は、レンズの配置位置によって異なる。各レンズの光学特性は、例えば、光透過型表示パネル２２に表示される画像と相関関係を有し、凹凸構造４０と同様の機能を提供する。ここでの「相関関係を有する」の意味については凹凸構造４０の関する説明と同様である。レンズアレイ３４０によれば、光透過型表示パネル２２に表示される画像の立体感を高めることができる。
【００３６】
［変形例４：図柄層］
表示装置１０は、さらに、第一下地層３２及び表示デバイス２０の間に図柄層を備えてもよい。図７は、このような変形例４に係る表示装置の模式断面図である。
【００３７】
図７に示されるように、表示装置４１０は、第一下地層３２及び表示デバイス２０の間に図柄層６０を備える。図柄層６０は、第一下地層３２上に第一下地層３２が有する凹凸構造４０に沿って設けられる。図柄層６０は、例えば、第一下地層３２上にほぼ均一な膜厚で形成される。図柄層６０は、図柄を構成する。ここでの図柄は、広義の図柄を意味し、写真及びＣＧ（Ｃｏｍｐｕｔｅｒ  Ｇｒａｐｈｉｃｓ）などを含む。図柄層６０は、例えば、透光性を有するインクを用いたＵＶインクジェット印刷によって形成される。図柄層６０は、言い換えれば、加飾層である。
【００３８】
なお、図柄層６０は、ＵＶインクジェット印刷以外の工法により形成されてもよい。例えば、図柄層６０は、スクリーン印刷によって形成されてもよい。また、図柄層６０は、スプレー塗装によって形成されてもよい。
【００３９】
表示装置４１０は、図柄層６０によって構成される図柄の上に光透過型表示パネル２２に表示される画像を重ねて表示することができる。ここで、表示装置４１０においては、凹凸構造４０の凹凸の高さは、図柄層６０によって構成される図柄の少なくとも一部（つまり、一部または全部）と相関関係を有してもよいし、光透過型表示パネル２２に表示される画像の少なくとも一部（つまり、一部または全部）と相関関係を有してもよい。また、凹凸構造４０の凹凸の高さは、図柄層６０によって構成される図柄の一部、及び、光透過型表示パネル２２に表示される画像の一部の両方と相関関係を有してもよい。
【００４０】
例えば、表示装置４１０において、凹凸構造４０が図柄と相関関係を有し、光透過型表示パネル２２に文字が表示される場合、表示装置４１０は、図８に示されるような表示態様となる。図８は、表示装置４１０の表示態様の一例を示す図である。なお、図８において、図柄層６０によって構成される図柄はレンガであり、光透過型表示パネル２２に表示される文字は「Ａ」である。このように、凹凸構造４０が図柄と相関関係を有する場合には、図柄が立体的に表示される。
【００４１】
一方、凹凸構造４０が光透過型表示パネル２２に表示される画像（つまり、文字「Ａ」）と相関関係を有する場合には、表示装置４１０は、図９に示されるような表示態様となる。図９は、表示装置４１０の表示態様の別の一例を示す図である。このように、凹凸構造４０が画像と相関関係を有する場合には、画像が立体的に表示される。
【００４２】
［変形例５：第二下地層］
表示装置１０は、さらに、導光層３１の第二主面３１ｂ側（つまり、凹凸構造４０側）に配置される第二下地層３３を備えてもよい。図１０は、このような変形例５に係る表示装置の模式断面図である。
【００４３】
図１０に示される表示装置５１０は、導光層３１、第一下地層３２、及び、第二下地層３３を有する導光体５３０を備える。表示装置５１０では、導光層３１の第二主面３１ｂ側に第二下地層３３が配置されている。
【００４４】
表示装置５１０において、第二下地層３３は、例えば、シリカなどの光拡散材を含む光拡散層であるが、光反射層（例えば、鏡面）であってもよい。また、第二下地層３３は、遮光性を有する層であってもよい。この場合、第二下地層３３は、例えば、白色または黒色などの単一色のインクによって形成される。
【００４５】
このような表示装置５１０は、光透過型表示パネル２２に表示される画像に、さらに立体的な質感を与えることができる。つまり、表示装置５１０は、光透過型表示パネル２２に表示される画像の質感をさらに向上することができる。
【００４６】
［変形例６：ＯＣＲ層及びＯＣＡ層］
上記実施の形態において、導光層３１、第一下地層３２、及び、表示デバイス２０の各層間には、ＯＣＲ（Ｏｐｔｉｃａｌｌｙ  Ｃｌｅａｒ  Ｒｅｓｉｎ）層またはＯＣＡ（Ｏｐｔｉｃａｌｌｙ  Ｃｌｅａｒ  Ａｄｈｅｓｉｖｅ）層が設けられてもよい。例えば、表示装置１０は、第一下地層３２及び導光層３１の間、及び、導光層３１及び表示デバイス２０（より詳細には、光透過型表示パネル２２）の間の少なくとも一方に、ＯＣＲ層またはＯＣＡ層を備えてもよい。
【００４７】
ＯＣＲ層は、２つの部材の間を埋める透明樹脂層である。ＯＣＲ層は、液体の透明樹脂の塗布によって形成される。ＯＣＡ層は、２つの部材を貼り合わせるシート状の接着層である。ＯＣＡ層は、固体の接着層の貼り付けによって形成される。
【００４８】
このようなＯＣＲ層またはＯＣＡ層によれば、２つの部材の界面に隙間ができることによる光のロス等を抑制することができる。
【００４９】
［変形例７：動的に変化する光学パターン］
表示装置１０において、凹凸構造４０は光透過型表示パネル２２に表示される静止画像と相関関係を有する固定の構造体である。しかしながら、表示装置１０には、動的に変化する光学パターンが採用されてもよい。
【００５０】
例えば、光透過型表示パネル２２に動画像が表示され、凹凸構造４０の凹凸の高さが動画像に追従して動画との相関関係が維持されるように動的に変化すれば、表示装置１０は、動画像に立体的な質感を与えることができる。このように動的に変化する凹凸構造４０（言い換えれば、変形自在の凹凸構造４０）は、例えば、点字ディスプレイなどによって用いられる、電気信号によって制御可能な電気活性ポリマー素材によって実現される。動的に変化する凹凸構造４０は、その他のマイクロアクチュエータ技術によって実現されてもよい。
【００５１】
また、動的に変化する光学パターンとして、液晶シャッターとレンズアレイとが組み合わされてもよい。図１１は、液晶シャッターとレンズアレイとが組み合わされた光学パターンの模式断面図である。図１１に示されるように、動的に変化する光学パターン９０は、レンズアレイ７０と、レンズアレイ７０上に配置された液晶シャッター８０とを備える。
【００５２】
レンズアレイ７０は、レンズ７０Ａ〜７０Ｄの４種類のレンズが平面に沿って配置された構造を有する。図１２は、レンズアレイ７０を構成するレンズ７０Ａ〜７０Ｄの平面視における配置の一例を示す図であり、図１２におけるＡ〜Ｄの文字は、レンズ７０Ａ〜レンズ７０Ｄを意味する。
【００５３】
レンズ７０Ａ〜７０Ｄは、例えば、ナノインプリントなどによって形成され、導波方向が互いに異なる。例えば、レンズ７０Ａは、図１２の上方向に光を導波し、レンズ７０Ｂは左方向に光を導波し、レンズ７０Ｃは下方向に光を導波し、レンズ７０Ｄは右方向に光を導波する。レンズ７０Ａ〜７０Ｄのそれぞれは、例えば、光透過型表示パネル２２の１画素よりも大きい。なお、このように４種類のレンズが用いられることは例示であり、レンズアレイ７０に何種類のレンズが用いられるかは特に限定されない。
【００５４】
液晶シャッター８０は、平面に沿って配置された複数の開閉単位８１を備え、複数の開閉単位８１のそれぞれは、電気信号に基づいて独立して開閉が可能である。開閉単位８１の大きさは、レンズ７０Ａ〜レンズ７０Ｄの大きさよりも小さい。
【００５５】
このような光学パターン９０は、液晶シャッター８０の複数の開閉単位８１を部分的に開閉することにより、光透過型表示パネル２２に表示される画像に応じて光の方向及び強度の少なくとも一方を変更することができる。つまり、光学パターン９０の光学特性は、動画像に追従して動画との相関関係が維持されるように変化することが可能である。
【００５６】
［変形例８：コリメートレンズ］
表示装置１０において、光源２１が発する光は、端面３１ｃに直接入射する。しかしながら、表示装置１０は、端面３１ｃと端面３１ｃに対向配置された光源２１との間にコリメートレンズを備えていてもよい。図１３は、このような変形例８に係る表示装置の模式断面図である。
【００５７】
図１３に示すように、表示装置６１０において、端面３１ｃと端面３１ｃに対向配置された光源２１との間には、コリメートレンズ６２３が配置されている。コリメートレンズ６２３は、光源２１が発する光を略平行光として端面３１ｃに入射する。
【００５８】
このような表示装置６１０によれば、光源２１から発する光は、導光層３１内を略平行光として通過する。それにより、表示装置６１０に表示される画像の質感を向上することができる。
【００５９】
なお、コリメートレンズは、変形例８のように、導光層３１と別の部材であってもよいし、導光層３１の端面３１ｃをコリメートレンズに相当する形状に加工してもよい。
【００６０】
［効果等］
以上説明したように、表示装置１０は、光源２１を含む表示デバイス２０と、第一主面３１ａを有する導光層３１、及び、前記表示デバイス及び前記第一主面の間に配置され光を透過する第一下地層３２を含む導光体３０とを備える。第一下地層３２は、光源２１が発する光の方向及び強度の少なくとも一方を変化させる光学パターンを有する。
【００６１】
このような表示装置１０は、光学パターンが表示デバイス２０に表示される画像の少なくとも一部と相関関係を有すれば、当該画像に立体的な質感を与えることができる。つまり、表示装置１０は、表示デバイス２０に表示される画像の質感を向上することができる。
【００６２】
また、例えば、光学パターンは、表示デバイス２０に表示される画像の少なくとも一部と相関関係を有する。
【００６３】
このような表示装置１０は、表示デバイス２０に表示される画像に立体的な質感を与えることができる。
【００６４】
また、表示装置４１０は、さらに、光学パターン上に配置された、図柄を構成する図柄層６０を備える。光学パターンは、図柄の少なくとも一部と相関関係を有する。
【００６５】
このような表示装置４１０は、図柄に立体的な質感を与えることができる。
【００６６】
また、表示装置１０においては、光学パターンは、凹凸構造４０である。
【００６７】
このような表示装置１０は、凹凸構造４０によって表示デバイス２０に表示される画像に立体的な質感を与えることができる。
【００６８】
また、表示装置３１０においては、光学パターンは、複数のレンズによって構成される。
【００６９】
このような表示装置３１０は、複数のレンズによって表示デバイス２０に表示される画像に立体的な質感を与えることができる。
【００７０】
また、表示装置１０においては、表示デバイス２０は、光源２１、及び、光透過型表示パネル２２を含む。
【００７１】
このような表示装置１０は、液晶パネルなどの光透過型表示パネル２２に表示される画像に立体的な質感を与えることができる。
【００７２】
また、表示装置１０においては、導光層３１は、端面３１ｃを有し、光源２１は、端面３１ｃに対向配置される。
【００７３】
このような表示装置１０は、光源２１が発する光を端面３１ｃに入射させることにより、表示デバイス２０に画像を表示することができる。
【００７４】
また、表示装置６１０は、端面３１ｃと端面３１ｃに対向配置された光源２１との間にコリメートレンズ６２３を備える。
【００７５】
このような表示装置６１０は、光源２１が発する光を略平行光として端面３１ｃに入射させることにより、導光層３１内を略平行光として通過させる。そのため、表示装置６１０に表示される画像の質感を向上することができる。
【００７６】
また、表示装置１１０においては、導光層３１は、第一主面３１ａと背向する第二主面３１ｂを有し、光源１２１は、第二主面３１ｂに対向配置される。
【００７７】
このような表示装置１１０は、光源１２１が発する光を第二主面３１ｂに入射させることにより、表示デバイス１２０に画像を表示することができる。
【００７８】
また、表示装置２１０においては、表示デバイス２２０は、光源２２１を含む自発光型表示パネルである。
【００７９】
このような表示装置２１０は、有機ＥＬパネルなどの自発光型表示パネルに表示される画像に立体的な質感を与えることができる。
【００８０】
また、例えば、表示装置１０は、さらに、導光層３１及び第一下地層３２の間、及び、第一下地層３２及び表示デバイス２０の間の少なくとも一方に、ＯＣＲ層またはＯＣＡ層を備える。
【００８１】
このような表示装置１０は、２つの部材の界面に隙間ができることによる光のロス等を抑制することができる。
【００８２】
また、表示装置５１０においては、導光層３１は、第一主面３１ａと背向する第二主面３１ｂを有し、表示装置１０は、さらに、導光層３１の第二主面３１ｂ側に配置される第二下地層３３を備える。
【００８３】
このような表示装置５１０は、表示デバイス２０に表示される画像に、さらに立体的な質感を与えることができる。つまり、表示装置５１０は、表示デバイス２０に表示される画像の質感をさらに向上することができる。
【００８４】
また、第二下地層３３は、白色遮光層、黒色遮光層、光反射層、及び、光散乱層のいずれかである。
【００８５】
このような第二下地層３３は、表示デバイス２０に表示される画像の立体的な質感を向上することができる。
【００８６】
また、本発明は、表示装置１０を用いた画像の表示方法として実現されてもよい。図１４は、表示装置１０を用いた画像の表示方法のフローチャートである。表示装置１０を用いた画像の表示方法は、光源２１を発光させることより表示デバイス２０に画像を表示する（Ｓ１１）。
【００８７】
このような表示方法は、表示デバイス２０に表示される画像に立体的な質感を与えることができる。
【００８８】
（その他の実施の形態）
以上、実施の形態について説明したが、本発明は、このような実施の形態に限定されるものではない。例えば、上記基本構成、及び、上記変形例１〜８は、任意に組み合わされてよい。
【００８９】
また、例えば、上記実施の形態では、光源は、ＳＭＤ構造の発光モジュールであったが、ＣＯＢ（Ｃｈｉｐ  Ｏｎ  Ｂｏａｒｄ）構造の発光モジュールであってもよい。ＣＯＢ構造の発光モジュールにおいては、ＬＥＤチップが発光素子として用いられ、基板上にＬＥＤチップが直接実装され、当該ＬＥＤチップが蛍光体粒子を含有する透光性樹脂材によって封止される。また、光源は、ＬＥＤチップと、当該ＬＥＤチップと離れた位置に配置された蛍光体粒子を含む樹脂部材とを有するリモートフォスファー型の発光モジュールであってもよい。
【００９０】
また、光源は、ＬＥＤまたは有機ＥＬ素子を用いた構成に限定されない。光源には、例えば、半導体レーザなどのＬＥＤ以外の固体発光素子が用いられてもよい。
【００９１】
また、上記実施の形態の導光体の模式断面図に示される積層構造は一例である。本発明の特徴的な機能を実現できる他の積層構造を有する導光体も本発明に含まれる。導光体においては、例えば、上記実施の形態で説明された機能と同様の機能を実現できる範囲で、上記実施の形態の積層構造の層間に別の層が設けられていてもよい。
【００９２】
また、上記実施の形態では、導光体が有する積層構造の各層を構成する主たる材料について例示しているが、導光体が有する積層構造の各層には、上記実施の形態の積層構造と同様の機能を実現できる範囲で他の材料が含まれてもよい。
【００９３】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９４】
１０、１１０、２１０、３１０、４１０、５１０、６１０  表示装置
２０、１２０、２２０  表示デバイス
２１、１２１、２２１  光源
２２  光透過型表示パネル
３０、５３０  導光体
３１  導光層
３１ａ  第一主面
３１ｂ  第二主面
３１ｃ  端面
３２  第一下地層
３３  第二下地層
４０  凹凸構造
５１、５２  補助光源
６０  図柄層
７０、３４０  レンズアレイ
７０Ａ、７０Ｂ、７０Ｃ、７０Ｄ  レンズ
８０  液晶シャッター
８１  開閉単位
９０  光学パターン
６２３  コリメートレンズ
【図１】
2020038259.tif 000003
【図２】
2020038259.tif 000004
【図３】
2020038259.tif 000005
【図４】
2020038259.tif 000006
【図５】
2020038259.tif 000007
【図６】
2020038259.tif 000008
【図７】
2020038259.tif 000009
【図８】
2020038259.tif 000010
【図９】
2020038259.tif 000011
【図１０】
2020038259.tif 000012
【図１１】
2020038259.tif 000013
【図１２】
2020038259.tif 000014
【図１３】
2020038259.tif 000015
【図１４】
2020038259.tif 000016